(57)【要約】【課題】小型軽量で装着したままでも邪魔にならず、撮影時には角度調整が容易に行え、更に台座を雲台筒部より拡がりを有することで小型カメラを保持する雲台を提供する。【解決手段】  雲台の台座が雲台筒部より拡がりを有することで小型カメラを静止保持する。被写体への角度調整はボールの回動により容易に行うことができ、静止状態を保つための抵抗は押圧バットの硬度、厚みによって変化することから、小型カメラ用雲台としては任意の硬度、厚みを有する押圧パットにすることで押圧調整作業を行うことなく短時間で静止状態を保持する。更に台座接地面に三点の接地パットを有することで凸凹面での接地が安定する。台座を台座上部と台座下部より構成される中空の軽量で厚みと丸みを帯びた形態とすることでボールを雲台筒部とともに内包する。柱ネジを除き雲台全体はプラスチック製の中空構造とすることで軽量となり小型カメラを装着した状態でも携帯できる。【選択図】図１
2007286564.tif 000002
【特許請求の範囲】
【請求項１】
雲台の台座が雲台筒部より拡がりを有することで接地したときに小型カメラを静止保持する雲台。
【請求項２】
雲台の台座が台座上部と台座下部より構成される中空の軽量で厚みと丸みを有する雲台。
【請求項３】
台座上部と一体成型された台座柱が台座下部より突出した三点の接地パットを支持する雲台。
【請求項４】
雲台の台座が雲台筒部より拡がりを有することで接地したときに小型カメラを静止保持し、台座上部と台座下部より構成される中空構造の軽量で厚みと丸みを有し、かつ台座上部と一体成型された台座柱が台座下部より突出した三点の接地パットを支持する雲台。
【発明の詳細な説明】
【技術分野】
【０００１】  本発明は、雲台の台座が雲台筒部より拡がりを有する小型カメラ用雲台に関する。
【背景技術】
【０００２】  記念撮影で全員の集合写真にしたい時には周囲の他人にお願いするか三脚を使
用しなければならなかった。【０００３】  三脚では大きく重いため携帯に不便である。また、三脚は撮影の度に接地する広い場所を要する。【０００４】  昨今の小型デジタルカメラの開発進歩によりその携帯方法も背広はジャンパーのポケットに入れてＴＰＯに応じて速やかに撮影することが多くなった。【０００５】  そこで、常時装着してポケットにも入れることが可能な小型三脚（非特許文献３参考）や支持台（非特許文献１，２参考）が考案されたが、これらでは突起部によるポケットの穴あきの原因や撮影時の回動性が限定されており、被写体への角度調整には接地する三脚や支持台を動かすことで調整しなければならなかった。
【非特許文献１】特開２００１−２４２５４１号公報
【非特許文献２】特開２００５−３３８７３８号公報
【非特許文献３】特開２００２−１３９７９０８号公報
【０００６】  雲台は三脚や支持具に固定して使用するものが多く、カメラとネジ軸とを螺合し、被写体へ角度調整の後、ボールを押圧操作ハンドルにより締付けて静止状態を保持しなければならなかった。【０００７】  更にカメラはネジ穴がその重心よりずれて設けられている場合が多いので、雲台はカメラと螺合した状態で接地して使用すると安定が悪い。つまり、雲台の台座の役割は専らボールを支点として支持するものであり、螺合したカメラを静止保持する役割は担っていない。
【発明の開示】
【発明が解決しようとする課題】
【０００８】  昨今の小型デジタルカメラの開発進歩によりその使用形態も背広やジャンパーのポケットに入れて携帯し、ＴＰＯに応じてすぐに撮影することが多くなった。小型デジタルカメラが有する、この易携帯性、易操作性という属性を有する付属部品の開発が望まれている。【０００９】  カメラで記念撮影するときに静止状態を保持する道具として三脚では小型でポケットに入れることができるものであっても、その形状特性として突起部を有することから繊維の摩滅などで穴あきの原因になるなど携帯性に問題がある。また携帯性に優れた支持台も考案されているが被写体への角度調整に支持台を動かして調整を要するものであり、新たな器具の開発が望まれている。【００１０】  そこで本発明が解決しようとする課題は、携帯を容易ならしめるように小型軽量で装着したままでも邪魔にならず、撮影時には角度調整が容易に行え、更に台座が雲台筒部より拡がりを有することで従来のボール支持機能だけでなく小型カメラを静止保持する機能を併せ持つ雲台を提供することである。
【課題を解決するための手段】
【００１１】  上記課題を解決するために本発明は、雲台の台座が雲台筒部より拡がりを有することで接地したときに小型カメラを静止保持する機能を有する雲台である。【００１２】  従来の雲台は雲台筒部上端と台座によりボールを支持することが多かったが、本発明ではボール押圧蓋と台座下部でボールを支持し、台座の拡張を容易にした。【００１３】  更に、ボール押圧蓋に一体成型されたボール支持柱と台座下部は、柱ネジで螺合することによりボールを支持するだけでなく雲台筒部より拡張した台座上部と台座下部とを結合する。【００１４】  台座上部に設けられた台座柱は台座下部より突出した三点の接地パットを支持する。【００１５】  被写体への角度調整はボールの回動により容易に行うことができ、静止状態を保つための抵抗は押圧バットの硬度、厚みによって変化することから、小型カメラ用雲台としては任意の硬度、厚みを有する押圧パットにすることで静止状態を保持する。
【発明の効果】
【００１６】  本発明による雲台は雲台の台座が雲台筒部より拡がりを有することで三脚や支持具が不要となり、直接接地することで小型カメラの静止状態を保持する。【００１７】  また、台座上部に設けられた台座柱が台座下部より突出した三点の接地パットを支持することで凸凹のある場所でも設置が安定する。【００１８】  本発明による雲台は、ボールの回動により被写体への角度調整も容易であり、押圧パットを任意の硬度、厚みにすることで小型カメラの静止状態を保持し、ボールを押圧操作ハンドルで締付ける作業が不要となる。【００１９】  小型カメラのネジ穴はカメラの重心よりずれて設けられている場合が多く、雲台の台座が雲台筒部より拡がりを有することで螺合した小型カメラを静止保持する。【００２０】  更に、ネジ軸を台座中心よりずれて設けることで、カメラと雲台を螺合した状態でポケットに入れて携帯するときはボールを軸として回動し、カメラ重心と台座中心を近づけることでコンパクトに小さく収まり携帯しやすくなる。【００２１】  構造が極めて簡単であり、しかもプラスチック材を使用することで軽量、小型で突起部のない丸みを帯びた形状であることから携帯が容易であり、カメラと装着した状態で持ち運びもできる。
【発明を実施するための最良の形態】
【００２２】  以下、本発明について実施例に基づき図面を参照して説明する。【００２３】  図１は、本発明による雲台の実施状態を示す正面図である。雲台下部１と雲台上部２より構成される雲台の台座は雲台筒部６より拡がりを有することで小型カメラ１７を静止保持する。台座は小型カメラ１７の底面の寸法と近似したものとし、三点の接地パット３で接地することで螺合した小型カメラ１７を静止保持する。台座の形状は四角形及び三角形及びハート形並びに卵形などいかなる形状とすることもでき、本実施例では卵形である。雲台筒部６は台座上部２のいかなる位置にも設けることができる。小型カメラ１７のネジ穴１８はその重心よりずれて設けられている場合が多く、本発明による実施例では、ネジ軸１３は台座中心よりずれて雲台筒部６を設けることで小型カメラ１７と螺合した状態で小さく収まり携帯しやすくなる。凸凹面に接地して本発明による雲台を螺合した小型カメラ１７の安定が損なわれている場合はボール５を軸として回動し、三点の接地パット３で構成される三角形内に重心が位置するよう調整することで静止保持が安定化する。【００２４】  図２は、本発明による雲台の断面図である。台座下部１と台座上部２より構成される台座は中空の厚みを有し、ボール５を雲台筒部６とともに内包する。ボール５は台座下部１とボール押圧蓋４を支点として支持され、押圧パット８により抵抗を加えることで押圧操作ハンドル１６で締付け作業をすることなく小型カメラ１７を静止保持する。また、雲台上部２と一体成型された台座柱７によって台座下部１より突出した接地パット３が支持される。プラスチックにてネジ軸１３及びカメラ台１２及びボール軸１０及びボール５は一体成型されており、パッキン１２により小型カメラ１７の損傷を防ぐ。
【発明の効果】
【００２５】  以上説明した通り本発明の台座が雲台筒部より拡がりを有する雲台は、小型軽量で小型カメラと螺合した状態で携帯しても邪魔にならず、台座より突出した三点の接地パットで小型カメラを安定に設置することができる。
【図面の簡単な説明】
【００２６】
【図１】本発明による雲台の実施状態を示す正面図である。
【図２】本発明による雲台の断面図である。
【図３】本発明による雲台の正面図である。
【図４】本発明による雲台の背面図である。
【図５】本発明による雲台の左側面図である。
【図６】本発明による雲台の右側面図である。
【図７】本発明による雲台の平面図である。
【図８】本発明による雲台の底面図である。
【図９】従来の雲台の断面図である。
【符号の説明】
【００２７】１    台座下部
２    台座上部
３    接地パット
４    ボール押圧蓋
５    ボール
６    雲台筒部
７    台座柱
８    押圧パット
９    柱ネジ
１０  ボール軸
１１  カメラ台
１２  パッキン
１３  ネジ軸
１４  ボール支持柱
１５  締付け機構
１６  押圧操作ハンドル
１７  小型カメラ
１８  ネジ穴
【図１】
2007286564.tif 000003
【図２】
2007286564.tif 000004
【図３】
2007286564.tif 000005
【図４】
2007286564.tif 000006
【図５】
2007286564.tif 000007
【図６】
2007286564.tif 000008
【図７】
2007286564.tif 000009
【図８】
2007286564.tif 000010
【図９】
2007286564.tif 000011